(57)【特許請求の範囲】
【請求項１】
装着者の運動ペース情報を測定する運動ペース情報測定部と、
前記運動ペース情報測定部を有する他装置と近距離無線通信を行うための通信部と、
前記他装置の運動ペース情報測定部で測定された他装置運動ペース情報を、前記通信部を介して前記他装置から取得して記憶する他装置運動ペース情報記憶部と、
前記記憶した他装置運動ペース情報と、自装置の前記運動ペース情報測定部で測定される運動ペース情報とに基づいて、自装置の装着者の運動ペースを管理する管理用情報を出力する管理用情報出力部と、
前記管理用情報を表示する表示部と、を備え、
前記管理用情報出力部は、自装置の前記運動ペース情報が前記他装置運動ペース情報よりも速いときは、自装置の前記運動ペース情報が前記他装置運動ペース情報と同じになるように、自装置の装着者に運動ペースを下げるよう促すことを指示する情報を前記管理用情報として出力し、自装置の運動ペース情報が前記他装置運動ペース情報よりも遅いときは、自装置の前記運動ペース情報が前記他装置運動ペース情報と同じになるように、自装置の装着者に運動ペースを上げるよう促すことを指示する情報を前記管理用情報として出力する運動情報測定装置。
【請求項２】
請求項１記載の運動情報測定装置であって、
前記他装置が複数あり、前記管理用情報出力部は、複数の前記他装置の運動ペース情報測定部で測定された運動ペース情報から選択された運動ペース情報を前記他装置運動ペース情報として設定し、該他装置運動ペース情報と自装置の前記運動ペース情報とに基づいて前記管理用情報を出力する運動情報測定装置。
【請求項３】
装着者の運動ペース情報を測定する運動ペース情報測定部と、前記運動ペース情報測定部を有する他装置と近距離無線通信を行うための通信部と、を有する運動情報測定装置を用いた運動管理方法であって、
前記他装置の運動ペース情報測定部で測定された他装置運動ペース情報を、前記通信部を介して前記他装置から取得して記憶する他装置運動ペース情報記憶ステップと、
前記記憶した他装置運動ペース情報と、自装置の前記運動ペース情報測定部で測定される運動ペース情報とに基づいて、自装置の装着者の運動ペースを管理する管理用情報を出力する管理用情報出力ステップと、
前記管理用情報を表示部に表示する表示ステップと、を備え、
前記表示ステップでは、自装置の前記運動ペース情報測定部で測定される運動ペース情報が前記他装置運動ペース情報よりも速いときに、自装置の前記運動ペース情報測定部で測定される運動ペース情報が前記他装置運動ペース情報と同じになるように、自装置の装着者に運動ペースを下げるように促す指示が表示され、自装置の前記運動ペース情報測定部で測定される運動ペース情報が前記他装置運動ペース情報よりも遅いときに、自装置の前記運動ペース情報測定部で測定される運動ペース情報が前記他装置運動ペース情報と同じになるように、自装置の装着者に運動ペースを上げるように促す指示が表示される運動管理方法。
【請求項４】
コンピュータに、請求項３記載の運動管理方法の各ステップを実行させるための運動管理プログラム。
【発明の詳細な説明】
【技術分野】
【０００１】
本発明は、運動情報測定装置、運動管理方法、及び運動管理プログラムに関する。
【背景技術】
【０００２】
近年、加速度センサ及び角速度センサ等の体の動きを検出する動き検出センサを用いることにより、活動量（歩数、歩行距離、消費カロリー等）及び運動のペース（歩行速度、走行速度等）を示す運動ペース情報等の運動情報を測定することのできる運動情報測定装置の開発が盛んである。
【０００３】
こういった運動情報測定装置には、近距離無線通信機能を有するものが知られており、この機能を利用することで、様々なサービスが提供可能である。
【０００４】
例えば、特許文献１には、歩行のピッチに依存する情報である活動強度を歩数計同士で直接交換して、活動強度の比較により、歩行相性を判定する歩数計が開示されている。
【先行技術文献】
【特許文献】
【０００５】
【特許文献１】特開２０１１−０９０４２６号公報
【発明の概要】
【発明が解決しようとする課題】
【０００６】
特許文献１によれば、複数利用者の運動情報を利用することで、これまでにないサービスを利用者に提供することが可能である。今後、運動情報測定装置の利用促進を図るべく、運動情報測定装置で測定された運動情報を利用した様々なアプリケーションの提供が必要になってくる。
【０００７】
本発明は、上記事情に鑑みてなされたものであり、他利用者との比較で利用者の運動管理を行うことのできる運動情報測定装置、運動管理方法、及び運動管理プログラムを提供することを目的とする。
【課題を解決するための手段】
【０００８】
本発明の運動情報測定装置は、装着者の運動ペース情報を測定する運動ペース情報測定部と、前記運動ペース情報測定部を有する他装置と近距離無線通信を行うための通信部と、前記他装置の運動ペース情報測定部で測定された他装置運動ペース情報を、前記通信部を介して前記他装置から取得して記憶する他装置運動ペース情報記憶部と、前記記憶した他装置運動ペース情報と、自装置の前記運動ペース情報測定部で測定される運動ペース情報とに基づいて、自装置の装着者の運動ペースを管理する管理用情報を出力する管理用情報出力部と、前記管理用情報を表示する表示部と、を備え、前記管理用情報出力部は、自装置の前記運動ペース情報が前記他装置運動ペース情報よりも速いときは、自装置の前記運動ペース情報が前記他装置運動ペース情報と同じになるように、自装置の装着者に運動ペースを下げるよう促すことを指示する情報を前記管理用情報として出力し、自装置の運動ペース情報が前記他装置運動ペース情報よりも遅いときは、自装置の前記運動ペース情報が前記他装置運動ペース情報と同じになるように、自装置の装着者に運動ペースを上げるよう促すことを指示する情報を前記管理用情報として出力するものである。
【０００９】
本発明の運動管理方法は、装着者の運動ペース情報を測定する運動ペース情報測定部と、前記運動ペース情報測定部を有する他装置と近距離無線通信を行うための通信部と、を有する運動情報測定装置を用いた運動管理方法であって、前記他装置の運動ペース情報測定部で測定された他装置運動ペース情報を、前記通信部を介して前記他装置から取得して記憶する他装置運動ペース情報記憶ステップと、前記記憶した他装置運動ペース情報と、自装置の前記運動ペース情報測定部で測定される運動ペース情報とに基づいて、自装置の装着者の運動ペースを管理する管理用情報を出力する管理用情報出力ステップと、前記管理用情報を表示部に表示する表示ステップと、を備え、前記表示ステップでは、自装置の前記運動ペース情報測定部で測定される運動ペース情報が前記他装置運動ペース情報よりも速いときに、自装置の前記運動ペース情報測定部で測定される運動ペース情報が前記他装置運動ペース情報と同じになるように、自装置の装着者に運動ペースを下げるように促す指示が表示され、自装置の前記運動ペース情報測定部で測定される運動ペース情報が前記他装置運動ペース情報よりも遅いときに、自装置の前記運動ペース情報測定部で測定される運動ペース情報が前記他装置運動ペース情報と同じになるように、自装置の装着者に運動ペースを上げるように促す指示が表示されるものである。
【００１０】
本発明の運動管理プログラムは、コンピュータに、前記運動管理方法の各ステップを実行させるためのプログラムである。
【発明の効果】
【００１１】
本発明によれば、他利用者との比較で利用者の運動管理を行うことのできる運動情報測定装置、運動管理方法、及び運動管理プログラムを提供することができる。
【図面の簡単な説明】
【００１２】
【図１】本発明の一実施形態を説明するためのシステム１００の概略構成を示す図である。
【図２】図１の運動情報測定装置１０のハードウェアの構成例を示すブロック図である。
【図３】図２の運動情報測定装置１０の記憶部５に記憶されたプログラムをプロセッサが実行することにより制御部２によって実現される機能ブロックを示す図である。
【図４】システム１００における運動情報測定装置１０の動作を説明するためのフローチャートである。
【図５】スレーブ機として設定された運動情報測定装置１０の表示部６に表示される画面例を示す図である。
【図６】スレーブ機として設定された運動情報測定装置１０の表示部６に表示される画面例を示す図である。
【図７】スレーブ機として設定された運動情報測定装置１０の表示部６に表示される画面例の変形例を示す図である。
【発明を実施するための形態】
【００１３】
以下、本発明の実施形態について図面を参照して説明する。
【００１４】
図１は、本発明の一実施形態を説明するためのシステム１００の概略構成を示す図である。システム１００は、複数（図１の例では６つ）の運動情報測定装置１０−１〜１０−６を備える。運動情報測定装置１０−１〜１０−６は、利用者の体に装着されて使用されるものであり、具体例としては歩数計や活動量計やスポーツウォッチ等である。
【００１５】
本実施形態においては、例えば、公園内等のランニングコースにおいて、利用者Ａ〜Ｆの６人からなるグループで、ランニングを行うケースを想定している。
【００１６】
このケースでは、グループを構成する利用者Ａ、利用者Ｂ、・・・利用者Ｆが運動情報測定装置１０−１、１０−２・・・１０−６をそれぞれ装着する。そして、利用者Ａ〜Ｆのいずれかをグループのランニングトレーナとして設定し、グループの他の各メンバーは、ランニングトレーナの運動ペース情報と自身の運動ペース情報とに基づいて、自身の運動ペース情報を管理する。
【００１７】
なお、説明をわかりやすくするため、利用者Ａがグループのランニングトレーナとされる。利用者Ａの装着する運動情報測定装置１０−１は、利用者Ａの操作によりマスター機として予め設定される。また、利用者Ｂ〜利用者Ｆがそれぞれ装着する運動情報測定装置１０−２〜１０−６は、各利用者の操作によりスレーブ機として設定される。
【００１８】
これにより、メンバーである利用者Ｂ〜利用者Ｆは、利用者Ａ（ランニングトレーナ）の運動ペース情報と自身の運動ペース情報とに基づいて、自身の運動ペース情報を管理することが可能となる。
【００１９】
以下、運動情報測定装置１０−１〜１０−６を個々に区別する必要がない場合、単に運動情報測定装置１０と記載する。
【００２０】
図２は、運動情報測定装置１０の構成例を示すブロック図である。
【００２１】
運動情報測定装置１０は、体動検出部１と、全体を統括制御する制御部２と、通信部３と、操作部４と、フラッシュメモリやＲＯＭ（Ｒｅａｄ  Ｏｎｌｙ  Ｍｅｍｏｒｙ）等の記憶媒体を含む記憶部５と、各種情報を表示するための表示部６と、脈拍センサ７と、を備える。
【００２２】
体動検出部１は、運動情報測定装置１０が装着（衣服のポケットに入れた状態も含む）された利用者の体の動きに応じた情報（加速度、角速度等）を検出する。体動検出部１は、加速度センサ及び角速度センサ等の各種センサと、各種センサから出力された信号を処理する信号処理部とを含む。
【００２３】
脈拍センサ７は、運動情報測定装置１０が装着された利用者の脈拍数を検出する。
【００２４】
制御部２は、記憶部５のＲＯＭに記憶されたプログラムを実行するプロセッサを主体に構成される。
【００２５】
通信部３は、他の運動情報測定装置１０（以下、他装置１０ともいう）と近距離無線通信を行うためのインターフェースである。近距離無線通信とは、インターネット等のネットワークを介さずに機器間で直接通信を行える通信規格に準拠した通信のことを言う。このインターフェースとしては、ＡＮＴに準拠した通信インターフェース、ブルートゥース（登録商標）に準拠した通信インターフェース等が用いられる。
【００２６】
操作部４は、制御部２に各種指示を入力するためのデバイスであり、ボタンや表示部６に搭載されたタッチパネル等により構成される。
【００２７】
記憶部５は、体動検出部１によって検出された検出情報及び脈拍センサ７によって測定された脈拍数を記憶したり、通信部３を介して受信した情報を記憶したり、運動情報測定装置１０の動作に必要な情報を記憶したりする。
【００２８】
図３は、図２の運動情報測定装置１０の記憶部５に記憶されたプログラムをプロセッサが実行することにより制御部２によって実現される機能ブロックを示す図である。
【００２９】
図３に示すように、制御部２は、運動ペース情報測定部２０と、情報取得部２１と、情報記憶部２２と、管理用情報出力部２３と、を備える。
【００３０】
運動ペース情報測定部２０は、体動検出部１により検出される検出情報、又は、脈拍センサ７により測定された脈拍数に基づいて、自装置の装着者の運動ペース情報を測定する。
【００３１】
例えば、運動ペース情報測定部２０は、検出情報に基づいて測定した所定期間での歩数と、予め装置に登録された利用者の歩幅とを用いて、単位時間当たりの移動距離である歩行速度や走行速度を運動ペース情報として算出する。
【００３２】
または、運動ペース情報測定部２０は、脈拍センサ７により測定される脈拍数そのものを運動ペース情報とする。利用者が移動速度を大きくすると、その利用者の脈拍数は移動速度に応じて大きくなる。このように、脈拍数は運動ペースと相関があると言えるため、脈拍数を運動ペース情報としてもよい。
【００３３】
情報取得部２１は、マスター機として設定された運動情報測定装置１０（他装置１０）の運動ペース情報測定部２０で測定された運動ペース情報及びマスター機の識別情報（ＩＤ）を、通信部３を介して取得する。情報取得部２１は、自装置がマスター機として設定されている場合には、この処理を行わない。
【００３４】
情報記憶部２２は、情報取得部２１で取得された、マスター機として設定された他装置１０の識別情報（ＩＤ）及び運動ペース情報を、目標ペース情報として設定して記憶部５に記憶する。また、情報記憶部２２は、自装置の運動ペース情報測定部２０により測定された運動ペース情報を取得し、これを自装置のＩＤと対応付けて記憶部５に記憶する。
【００３５】
これにより、スレーブ機として設定された運動情報測定装置１０の記憶部５には、マスター機として設定された他装置１０のＩＤと対応付けられた運動ペース情報（目標ペース情報）と、自装置のＩＤと対応付けられた運動ペース情報とが記憶される。情報取得部２１と情報記憶部２２は、他装置運動ペース情報記憶部として機能する。
【００３６】
管理用情報出力部２３は、運動情報測定装置１０がスレーブ機として設定された場合に機能する。管理用情報出力部２３は、記憶部５に記憶された他装置１０（マスター機）の運動ペース情報（目標ペース情報）と自装置の運動ペース情報とに基づき、自装置の装着者の運動ペース情報を管理するための管理用情報を出力する。
【００３７】
以上のように構成されたシステム１００の動作を説明する。
【００３８】
図４は、システム１００における運動情報測定装置１０の動作を説明するためのフローチャートである。図４では、マスター機となる運動情報測定装置１０−１と、１つのスレーブ機（以下では運動情報測定装置１０−２とする）の動作を示しており、運動情報測定装置１０−１と各スレーブ機の間で、図４に示した動作が行われる。
【００３９】
まず、グループでランニングを行う利用者Ａ〜利用者Ｆは、それぞれ、運動情報測定装置１０−１〜１０−６を装着する。利用者Ａ（ランニングトレーナ）が自身に装着した運動情報測定装置１０−１の操作部４を操作してマスター機の設定指示を行うと、運動情報測定装置１０−１の制御部２は、自装置をマスター機に設定する（ステップＳ１）。
【００４０】
マスター機の設定がなされると、運動情報測定装置１０−１の制御部２は、通信部３の送信用の通信チャネルを全てオープンにして（ステップＳ２）、他の運動情報測定装置１０と通信可能な状態に移行する。
【００４１】
マスター機として設定された運動情報測定装置１０−１では、ステップＳ２の後、運動ペース情報測定部２０により運動ペース情報が測定される（ステップＳ３）。運動情報測定装置１０−１は、運動情報測定装置１０−２の通信部３の通信可能範囲にあるとき、運動ペース情報測定部２０により測定された運動ペース情報及び自装置のＩＤを運動情報測定装置１０−２に定期的に送信する。
【００４２】
一方、利用者Ｂが運動情報測定装置１０−２の操作部４を操作してスレーブ機の設定指示を行うと、運動情報測定装置１０−２の制御部２が、自装置をスレーブ機に設定する（ステップＳ４）。
【００４３】
スレーブ機の設定がなされると、スレーブ機の運動情報測定装置１０−２の制御部２は、通信部３の受信用の通信チャネルをオープンにして（ステップＳ５）、マスター機からの情報受信待機状態となる。
【００４４】
スレーブ機として設定された運動情報測定装置１０−２では、ステップＳ５の後、運動ペース情報測定部２０により運動ペース情報が測定される（ステップＳ６）。
【００４５】
そして、運動情報測定装置１０−２の通信部３の通信可能範囲に運動情報測定装置１０−１があると、運動情報測定装置１０−１の運動ペース情報測定部２０で測定された運動ペース情報と運動情報測定装置１０−１のＩＤが、運動情報測定装置１０−２に送信されて、運動情報測定装置１０−２にて受信される（ステップＳ７）。
【００４６】
運動情報測定装置１０−２では、情報取得部２１により、通信部３で受信されたマスター機の運動ペース情報及びＩＤが取得される（ステップＳ８）。そして、運動情報測定装置１０−２の情報記憶部２２は、取得したマスター機のＩＤに、取得したマスター機の運動ペース情報を関連付けて記憶部５に記憶する（ステップＳ９）。
【００４７】
また、運動情報測定装置１０−２の情報記憶部２２は、自装置のＩＤに、自装置の運動ペース情報測定部２０で測定された運動ペース情報を関連付けて記憶部５に記憶する（ステップＳ１０）。
【００４８】
運動情報測定装置１０−２の制御部２は、記憶部５に記憶されているマスター機のＩＤに関連付けられた運動ペース情報と、自装置のＩＤに関連付けられた運動ペース情報を読み出し、これらの運動ペース情報を表示するための情報を管理用情報として表示部６に出力する。表示部６は、この情報に基づいて、マスター機の運動ペースと自装置の運動ペースを表示する（ステップＳ１１）。
【００４９】
図５は、スレーブ機として設定された運動情報測定装置１０−２の表示部６に表示される画面の一例を示す図である。
【００５０】
図５に示すように、表示部６には、記憶部５から読み出したマスター機の運動ペースが、「トレーナのペース  ４ｍｉｎ／ｋｍ」として表示されている。また、表示部６には、記憶部５から読み出した自装置の運動ペースが、「あなたのペース  ６ｍｉｎ／ｋｍ」として表示されている。
【００５１】
運動情報測定装置１０−２の装着者は、図５に示す画面を見ることで、ランニングトレーナの運動ペースと自身の運動ペースとを容易に比較することができ、自身の運動ペースをどの程度にしたらよいかを把握することができる。
【００５２】
次に、運動情報測定装置１０−２の制御部２は、自装置の運動ペース情報が予め設定された条件を満たすか否かを判定する（ステップＳ１２）。この条件とは、自装置の運動ペース情報（歩行速度あるいは走行速度）とマスター機の運動ペース情報との差が閾値以上の場合である。
【００５３】
ステップＳ１２の判定がＹＥＳのとき、運動情報測定装置１０−２の制御部２は、自装置の利用者に対し、運動ペースを変化させるよう促すことを指示する情報を管理用情報として表示部６に出力する（ステップＳ１３）。
【００５４】
ステップＳ１３において、例えば、運動情報測定装置１０−２の制御部２は、自装置の運動ペース情報がマスター機の運動ペースよりも速い場合には、運動ペースを下げるよう促すことを指示する管理用情報を記憶部５から読み出す。また、運動情報測定装置１０−２の制御部２は、自装置の運動ペースがマスター機の運動ペースよりも遅い場合には、運動ペースを上げるよう促すことを指示する管理用情報を記憶部５から読み出す。
【００５５】
そして、運動情報測定装置１０−２の制御部２は、読み出した管理用情報に基づくメッセージを表示部６に表示させる。例えば、表示部６には、図６（Ａ）、図６（Ｂ）に示したような画面が表示される。
【００５６】
以上のように、システム１００によれば、スレーブ機として設定された運動情報測定装置１０−２の表示部６において、マスター機として設定された運動情報測定装置１０−１の装着者（ランニングトレーナ）の運動ペースを確認することができる。そして、マスター機として設定された運動情報測定装置１０−１の運動ペースと自装置の運動ペースとの差が閾値以上の場合は、表示部６に、運動ペースを上げるように指示するメッセージや、運動ペースを下げるように指示するメッセージを表示したりすることで、容易に運動ペース情報を管理することが可能となる。
【００５７】
また、システム１００では、予め、マスター機とスレーブ機を設定することにより、スレーブ機として設定された運動情報測定装置１０−２が、マスター機の運動情報測定装置１０−１の運動ペース情報を取得して、マスター機の運動ペース情報と自装置の運動ペース情報との比較により自装置の運動ペース情報を管理するようにした。
【００５８】
これに限らず、マスター機とスレーブ機を特に設定せず、各運動情報測定装置１０が、通信可能範囲にある他装置１０の運動ペース情報を取得し、取得した運動ペース情報に基づいて、自装置の運動ペース情報を管理するようにしてもよい。
【００５９】
運動情報測定装置１０が複数の他装置１０から運動ペース情報を取得した場合には、運動情報測定装置１０の制御部２は、この複数の運動ペース情報のうち、自装置で測定された運動ペース情報よりも速い運動ペース情報を選択して目標ペース情報として設定し、設定した運動ペース情報に基づいて自装置の運動ペース情報を管理するのがよい。このようにすることで、自分よりも速いペースで運動している他利用者に合わせて運動を行うことができ、効果的な運動を行うことが可能となる。
【００６０】
または、運動情報測定装置１０の制御部２は、取得した複数の運動ペース情報の中から、予め設定した目標ペースに近い運動ペース情報を選択して目標ペース情報として設定し、設定した運動ペース情報に基づいて自装置の運動ペース情報を管理するようにしてもよい。
【００６１】
或いは、運動情報測定装置１０は、取得した複数の運動ペース情報を表示部６に表示させ、表示された運動ペース情報の中から運動情報測定装置１０の装着者によって選択された運動ペース情報を目標ペース情報として設定し、設定した運動ペース情報に基づいて自装置の運動ペース情報を管理するようにしてもよい。
【００６２】
また、運動情報測定装置１０は、表示部６に運動ペースを上げるように指示するメッセージや、運動ペースを下げるように指示するメッセージを表示するようにしたが、これに限らない。例えば、音声や振動によって、装着者に運動ペースを上げたり下げたりするように指示してもよい。
【００６３】
システム１００では、近距離無線通信が可能な運動情報測定装置のいずれかをマスター機として設定し、マスター機以外の運動情報測定装置をスレーブ機として設定し、スレーブ機の装着者であるメンバーは、自身の運動ペースをマスター機の装着者（ランニングトレーナ）の運動ペースに合わせることができる。
【００６４】
つまり、スレーブ機の装着者は、マスター機の装着者とランニングしながら、リアルタイムに運動ペース情報を管理することができる。どの運動情報測定装置もマスター機またはスレーブ機になりえるため、使い方が限定されることはなく、運動情報測定装置の利用シーンを増やして、運動情報測定装置の利用促進を図ることができる。
【００６５】
なお、運動ペース情報には、歩行速度及び走行速度等の移動速度の情報と、脈拍数の情報とを両方含めてもよい。この場合は、スレーブ機の制御部２は、図７に例示するように、移動速度と脈拍とを表示部６に併せて表示させることができる。
【００６６】
図７に示すように、表示部６には、記憶部５から読み出したマスター機の移動速度と脈拍数が、「トレーナのペース  ４ｍｉｎ／ｋｍ  脈拍１００／ｍｉｎ」として表示されているとともに、記憶部５から読み出した自装置の移動速度と脈拍数が、「あなたのペース  ６ｍｉｎ／ｋｍ  脈拍７０／ｍｉｎ」として表示されている。
【００６７】
運動情報測定装置１０−２の装着者は、図７に示す画面を見ることで、ランニングトレーナの移動速度と脈拍数、自身の移動速度と脈拍数とを容易に比較することができ、利用者がどのような運動ペースで運動しているか、また、どの程度の負荷で運動しているのかを把握することができる。このように、脈拍数も考慮した、柔軟な運動ペース情報の管理が可能となる。
【００６８】
コンピュータに、図４に示したフローチャートの各ステップを実行させるためのプログラム、又は、コンピュータを図３の各機能ブロックとして機能させるためのプログラムは、当該プログラムをコンピュータが読取可能な一時的でない（ｎｏｎ−ｔｒａｎｓｉｔｏｒｙ）記録媒体に記録されて提供可能である。
【００６９】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【００７０】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００７１】
以上説明してきたように、本明細書には以下の事項が開示されている。
【００７２】
開示された運動情報測定装置は、装着者の運動ペース情報を測定する運動ペース情報測定部と、前記運動ペース情報測定部を有する他装置と近距離無線通信を行うための通信部と、前記他装置の運動ペース情報測定部で測定された他装置運動ペース情報を、前記通信部を介して前記他装置から取得して記憶する他装置運動ペース情報記憶部と、前記記憶した他装置運動ペース情報と、自装置の前記運動ペース情報測定部で測定される運動ペース情報とに基づいて、前記運動ペース情報を管理するための管理用情報を出力する管理用情報出力部と、を備えるものである。
【００７３】
開示された運動情報測定装置は、表示部を更に備え、前記管理用情報出力部は、前記他装置運動ペース情報を表示するための情報を前記管理用情報として前記表示部に出力するものである。
【００７４】
開示された運動情報測定装置は、前記管理用情報出力部は、前記運動ペース情報測定部で測定される運動ペース情報が前記他装置運動ペース情報と異なる場合に、自装置の装着者に運動ペースを変えるよう促すことを指示する情報を前記管理用情報として出力するものである。
【００７５】
開示された運動情報測定装置は、前記他装置運動ペース情報記憶部は、前記他装置運動ペース情報に基づく運動ペースが、自装置の前記運動ペース情報測定部で測定される運動ペース情報に基づく運動ペースよりも速い他装置運動ペース情報を記憶するものである。
【００７６】
開示された運動管理方法は、装着者の運動ペース情報を測定する運動ペース情報測定部と、前記運動ペース情報測定部を有する他装置と近距離無線通信を行うための通信部と、を有する運動情報測定装置を用いた運動管理方法であって、前記他装置の運動ペース情報測定部で測定された他装置運動ペース情報を、前記通信部を介して前記他装置から取得して記憶する他装置運動ペース情報記憶ステップと、前記記憶した他装置運動ペース情報と、自装置の前記運動ペース情報測定部で測定される運動ペース情報とに基づいて、前記運動ペース情報を管理するための管理用情報を出力する管理用情報出力ステップと、を備えるものである。
【００７７】
開示された運動管理プログラムは、コンピュータに、前記運動管理方法の各ステップを実行させるためのプログラムである。
【符号の説明】
【００７８】
２  制御部
３  通信部
６  表示部
７  脈拍センサ
１０、１０−１〜１０−６  運動情報測定装置
２０  運動ペース情報測定部
２１  情報取得部
２２  情報記憶部
２３  管理用情報出力部
【図１】
0006435958.tif 000002
【図２】
0006435958.tif 000003
【図３】
0006435958.tif 000004
【図４】
0006435958.tif 000005
【図５】
0006435958.tif 000006
【図６】
0006435958.tif 000007
【図７】
0006435958.tif 000008